(57)【特許請求の範囲】
【請求項１】
浴室内の空気を循環させる循環送風手段と前記循環させる空気を温める加熱手段を備えた浴室暖房乾燥機本体において、浴室天井面に対してメイン基板を垂直に配置し、前記メイン基板が浴室暖房乾燥機本体から浴室にて着脱自在に設けられた電装箱に収められ、前記メイン基板の一端部側に浴室暖房乾燥機本体の有するアクチュエータすべてのコネクタを配置し、浴室と前記電装箱空間を切り分ける蓋を有した構成を特徴とする浴室暖房乾燥機。
【請求項２】
浴室内の空気を循環させる循環送風手段と前記循環させる空気を温める加熱手段を備えた浴室暖房乾燥機本体において、浴室天井面に対してメイン基板を垂直に配置し、前記メイン基板の一端部側に前記浴室天井面と平行に浴室暖房乾燥機本体の有するアクチュエータすべてのコネクタを中継基板に配置し、前記メイン基板と前記中継基板が浴室暖房乾燥機本体から浴室にて着脱自在に設けられた電装箱に収められ、浴室空間と前記電装箱空間を切り分ける蓋を有した構成を特徴とする浴室暖房乾燥機。
【請求項３】
浴室内の空気を循環させる循環送風手段と前記循環させる空気を温める加熱手段を備えた浴室暖房乾燥機本体において、浴室天井面に対してメイン基板を垂直に配置し、前記メイン基板の一端部側に前記浴室天井面と平行に中継基板を配置し、前記メイン基板の前記中継基板側の一端部側と中継基板に前記浴室暖房乾燥機本体の有するアクチュエータすべてのコネクタを配置し、前記メイン基板と前記中継基板が前記浴室暖房乾燥機本体から着脱自在に設けられた電装箱に収められ、浴室空間と前記電装箱空間を切り分ける蓋を有した構成を特徴とする浴室暖房乾燥機。
【請求項４】
電装箱に浴室暖房乾燥機本体の有する各アクチュエータからでているメイン基板及び中継基板のコネクタに接続するためのリード線をガイドするガイド壁を、コネクタ配置面の両側または片側に設けていることを特徴とする請求項１〜３のいずれかに記載の浴室暖房乾燥機。
【請求項５】
電装箱に、浴室暖房乾燥機の各アクチュエータからでている基板のコネクタに接続するためのリード線を固定する部材を設けたことを特徴とする請求項１〜４のいずれかに記載の浴室暖房乾燥機。
【請求項６】
電装箱壁面と重ね合わせる壁をもつ浴室空間と電装箱空間を切り分ける蓋を有したことを特徴とした請求項１〜５のいずれかに記載の浴室暖房乾燥機。
【請求項７】
電装箱の各アクチュエータからでているメイン基板及び中継基板のコネクタに接続するためのリード線の挿入口を、電装箱の挿入口よりも上側に有したことを特徴とする請求項１〜６のいずれかに記載の浴室暖房乾燥機。
【請求項８】
メイン基板および中継基板より下側に電装箱の箱の中と天井裏空間とをつなぐ下側穴を有したことを特徴とする請求項６または７に記載の浴室暖房乾燥機。
【請求項９】
浴室暖房乾燥機本体の天面側に電装箱の箱の中と天井裏空間とをつなぐ上側穴を有したことを特徴とする請求項６〜８のいずれかに記載の浴室暖房乾燥機。
【請求項１０】
電装箱が電装箱上と電装箱下とを凹部と凸部により嵌合して構成されていることを特徴とする請求項６〜９のいずれかに記載の浴室暖房乾燥機。
【発明の詳細な説明】
【技術分野】
【０００１】
本発明は、浴室内の暖房および浴室内に吊り下げた洗濯物等の乾燥をする浴室暖房乾燥機に関する。
【背景技術】
【０００２】
従来、この種の浴室暖房乾燥機の電装箱構成として、浴室の天井裏の空間に設置するものが知られている（例えば、特許文献１参照）。
【０００３】
以下、その浴室暖房乾燥機について図９を参照しながら説明する。
【０００４】
浴室暖房乾燥機１０１は、浴室Ｂに面して吸込口１０２と吹出口１０３を有し、内部に加熱手段１０４と循環送風手段１０５を設けた浴室暖房乾燥機本体１０６と、脱衣室に連通した吸込口１０９ａおよび屋外に連通した排気口１０９ｂを有し内部に換気ファン１０８を設けた換気ボックス１０９とをダンパー１１０を介して連通させ、循環送風手段１０５を構成する循環モーター１１１、ダンパー１１０を開閉するステッピングモーター１１２および換気ファン１０８を回転させる換気モーター１１３を駆動制御する電装箱１１４を換気ボックス１０９の外壁に設けている。
【特許文献１】特開２００４―４４８６６号公報
【発明の開示】
【発明が解決しようとする課題】
【０００５】
このような従来の浴室暖房乾燥機１０１では、作業者が浴室暖房乾燥機本体１０６内の循環モーター１１１、ステッピングモーター１１２などのアクチュエータの故障確認および交換時、点検口１１６から天井裏Ａと浴室Ｂを行き来しないと、アクチュエータの故障確認および交換ができないという課題があり、作業者が浴室Ｂにて簡単に浴室暖房乾燥機本体１０６内の循環モーター１１１、ステッピングモーター１１２などのアクチュエータの故障確認および交換ができることが要求されている。
【０００６】
本発明は、このような従来の課題を解決するものであり、浴室暖房乾燥機本体１０６内の循環モーター１１１、ステッピングモーター１１２などのアクチュエータの故障確認および交換時、点検口１１６から天井裏Ａと浴室Ｂを行き来しないで、故障確認および交換ができる浴室暖房乾燥機１０１を提供することを目的とする。
【課題を解決するための手段】
【０００７】
本発明の浴室暖房乾燥機は、上記目的を達成するために、浴室内の空気を循環させる循環送風手段と前記循環させる空気を温める加熱手段を備えた浴室暖房乾燥機本体において、浴室天井面に対してメイン基板を垂直に配置し、前記メイン基板が浴室暖房乾燥機本体から浴室にて着脱自在に設けられた電装箱に収められ、前記メイン基板の一端部側に浴室暖房乾燥機本体の有するアクチュエータすべてのコネクタを配置し、浴室と前記電装箱空間を切り分ける蓋を有した構成とするものである。
【０００８】
また、他の手段は、浴室内の空気を循環させる循環送風手段と前記循環させる空気を温める加熱手段を備えた浴室暖房乾燥機本体において、浴室天井面に対してメイン基板を垂直に配置し、前記メイン基板の一端部側に前記浴室天井面と平行に浴室暖房乾燥機本体の有するアクチュエータすべてのコネクタを中継基板に配置し、前記メイン基板と前記中継基板が浴室暖房乾燥機本体から浴室にて着脱自在に設けられた電装箱に収められ、浴室空間と前記電装箱空間を切り分ける蓋を有した構成とするものである。
【０００９】
また、他の手段は、浴室内の空気を循環させる循環送風手段と前記循環させる空気を温める加熱手段を備えた浴室暖房乾燥機本体において、浴室天井面に対してメイン基板を垂直に配置し、前記メイン基板の一端部側に前記浴室天井面と平行に中継基板を配置し、前記メイン基板の前記中継基板側の一端部側と中継基板に前記浴室暖房乾燥機本体の有するアクチュエータすべてのコネクタを配置し、前記メイン基板と前記中継基板が前記浴室暖房乾燥機本体から着脱自在に設けられた電装箱に収められ、浴室空間と前記電装箱空間を切り分ける蓋を有した構成とするものである。
【００１０】
また、他の手段は、電装箱に浴室暖房乾燥機本体の有する各アクチュエータからでているメイン基板及び中継基板のコネクタに接続するためのリード線をガイドするガイド壁を、コネクタ配置面の両側または片側に設けているものである。
【００１１】
また、他の手段は、電装箱に、浴室暖房乾燥機の各アクチュエータからでている基板のコネクタに接続するためのリード線を固定する部材を設けたものである。
【００１２】
また、他の手段は、電装箱壁面と重ね合わせる壁をもつ浴室空間と電装箱空間を切り分ける蓋を有したものである。
【００１３】
また、他の手段は、電装箱の各アクチュエータからでているメイン基板及び中継基板のコネクタに接続するためのリード線の挿入口を、電装箱の挿入口よりも上側に有したものである。
【００１４】
また、他の手段は、メイン基板および中継基板より下側に電装箱の箱の中と天井裏空間とをつなぐ下側穴を有したものである。
【００１５】
また、他の手段は、浴室暖房乾燥機本体の天面側に電装箱の箱の中と天井裏空間とをつなぐ上側穴を有したものである。
【００１６】
また、他の手段は、電装箱が電装箱上と電装箱下とを凹部と凸部により嵌合して構成されているものである。
【発明の効果】
【００１７】
本発明によれば、浴室天井面に対してメイン基板を垂直に配置し、前記メイン基板が浴室暖房乾燥機本体から浴室にて着脱自在に設けられた電装箱に収められ、前記メイン基板の一端部側に浴室暖房乾燥機本体の有するアクチュエータすべてのコネクタを配置し、浴室と前記電装箱空間を切り分ける蓋を有したことにより、従来のように、作業者が点検口から浴室と天井裏を行き来しないで、浴室で浴室暖房乾燥機本体内の各アクチュエータの検査および交換ができる、という効果のある浴室暖房乾燥機を提供することができる。
【００１８】
また、浴室天井面に対してメイン基板を垂直に配置し、前記メイン基板の一端部側に前記浴室天井面と平行に浴室暖房乾燥機本体の有するアクチュエータすべてのコネクタを中継基板に配置し、前記メイン基板と前記中継基板が浴室暖房乾燥機本体から浴室にて着脱自在に設けられた電装箱に収められ、浴室空間と前記電装箱空間を切り分ける蓋を有したことにより、より多くのアクチュエータを浴室暖房乾燥機に使用し、浴室で簡単に各アクチュエータの検査および交換ができる。
【００１９】
また、浴室天井面に対してメイン基板を垂直に配置し、前記メイン基板の一端部側に前記浴室天井面と平行に中継基板を配置し、前記メイン基板の前記中継基板側の一端部側と中継基板に前記浴室暖房乾燥機本体の有するアクチュエータすべてのコネクタを配置し、前記メイン基板と前記中継基板が前記浴室暖房乾燥機本体から着脱自在に設けられた電装箱に収められ、浴室空間と前記電装箱空間を切り分ける蓋を有したことにより、より多くのアクチュエータを浴室暖房乾燥機に使用し、浴室で簡単に各アクチュエータ検査および交換ができる。
【００２０】
また、電装箱に浴室暖房乾燥機本体の有する各アクチュエータからでているメイン基板及び中継基板のコネクタに接続するためのリード線をガイドするガイド壁を、コネクタ配置面の両側または片側に設けているにより、作業者がリード線の噛みこみを気にせずに浴室空間と電装箱空間を切り分ける蓋をすることができる。
【００２１】
また、電装箱に、浴室暖房乾燥機の各アクチュエータからでている基板のコネクタに接続するためのリード線を固定する部材を設けたことにより、作業者がリード線の噛みこみを気にせずに浴室空間と電装箱空間を切り分ける蓋をすることができる。
【００２２】
また、電装箱壁面と重ね合わせる壁をもつ浴室空間と電装箱空間を切り分ける蓋を有したことことにより、作業者が容易に蓋の取り外しができ、浴室と電装箱空間の気密性の確保が、より確実になる。という効果のある浴室暖房乾燥機を提供することができる。
【００２３】
また、電装箱の各アクチュエータからでているメイン基板及び中継基板のコネクタに接続するためのリード線の挿入口を、電装箱の挿入口よりも上側に有したことことにより、各アクチュエータのコネクタが、浴室空間からの湿気によってトラッキングおよび錆を起こす恐れがなくなる。
【００２４】
また、メイン基板および中継基板より下側に電装箱の箱の中と天井裏空間とをつなぐ下側穴を有したことにより、メイン基板および中継基板が結露水によりショートする恐れがなくなる。
【００２５】
また、浴室暖房乾燥機本体の天面側に電装箱の箱の中と天井裏空間とをつなぐ上側穴を有したことにより、メイン基板および中継基板に浴室空間からの湿気が溜まる恐れがなくなる。
【００２６】
また、電装箱が電装箱上と電装箱下とを凹部と凸部により嵌合して構成されていることことにより、電装箱の中にあるメイン基板に浴室空間からの湿気が触れる恐れをなくことができる。
【発明を実施するための最良の形態】
【００２７】
本発明の請求項１記載の浴室暖房乾燥機は、浴室天井面に対してメイン基板を垂直に配置し、前記メイン基板が浴室暖房乾燥機本体から浴室にて着脱自在に設けられた電装箱に収められ、前記メイン基板の一端部側に浴室暖房乾燥機本体の有するアクチュエータすべてのコネクタを配置し、浴室と前記電装箱空間を切り分ける蓋を有した構成としたものであり、作業者が、浴室暖房乾燥機本体内の浴室で浴室と電装箱空間を切り分けている蓋を外すことによって、浴室暖房乾燥機本体内の循環モーター、ステッピングモーターなどのアクチュエータの検査および交換を容易にすることができるという作用を有する。
【００２８】
また、請求項２記載の浴室暖房乾燥機は、浴室天井面に対してメイン基板を垂直に配置し、前記メイン基板の一端部側に前記浴室天井面と平行に浴室暖房乾燥機本体の有するアクチュエータすべてのコネクタを中継基板に配置し、前記メイン基板と前記中継基板が浴室暖房乾燥機本体から浴室にて着脱自在に設けられた電装箱に収められ、浴室空間と前記電装箱空間を切り分ける蓋を有した構成としたものであり、電装箱のスペースをより有効利用することができるという作用を有する。
【００２９】
また、請求項３記載の浴室暖房乾燥機は、浴室天井面に対してメイン基板を垂直に配置し、前記メイン基板の一端部側に前記浴室天井面と平行に中継基板を配置し、前記メイン基板の前記中継基板側の一端部側と中継基板に前記浴室暖房乾燥機本体の有するアクチュエータすべてのコネクタを配置し、前記メイン基板と前記中継基板が前記浴室暖房乾燥機本体から着脱自在に設けられた電装箱に収められ、浴室空間と前記電装箱空間を切り分ける蓋を有した構成としたものであり、電装箱の空きスペースをより有効利用することができるという作用を有する。
【００３０】
また、請求項４記載の浴室暖房乾燥機は、電装箱に浴室暖房乾燥機本体の有する各アクチュエータからでているメイン基板及び中継基板のコネクタに接続するためのリード線をガイドするガイド壁を、コネクタ配置面の両側または片側に設けているものであり、各アクチュエータからでているメイン基板及び中継基板のコネクタに接続するためのリード線のガイド壁を有することによって、リード線が浴室空間と電装箱空間を切り分ける蓋をするときに、噛みこむ恐れがなくなる。
【００３１】
また、請求項５記載の浴室暖房乾燥機は、電装箱に、浴室暖房乾燥機の各アクチュエータからでている基板のコネクタに接続するためのリード線を固定する部材を設けたものであり、各アクチュエータからでているメイン基板及び中継基板のコネクタに接続するためのリード線を確実に固定することによって、浴室空間と電装箱空間を切り分ける蓋をするときに、噛みこむ恐れがなくなる。
【００３２】
また、請求項６記載の浴室暖房乾燥機は、電装箱壁面と重ね合わせる壁をもつ浴室空間と電装箱空間を切り分ける蓋を有したものであり、電装箱のリード線をガイドする壁面と蓋の壁面を重ね合わせることによって、蓋をするときのガイドと気密性の確保につながる。
【００３３】
また、請求項７に記載の浴室暖房乾燥機は、電装箱の各アクチュエータからでているメイン基板及び中継基板のコネクタに接続するためのリード線の挿入口を、電装箱の挿入口よりも上側に有したしたものであり、浴室空間から来る各アクチュエータリード線の挿入口より浴室空間の湿気が電装ボックス空間内に入ったとしても、メイン基板のコネクタ部および中継基板より上に湿気が溜まる。
【００３４】
また、請求項８記載の浴室暖房乾燥機は、メイン基板および中継基板より下側に電装箱の箱の中と天井裏空間とをつなぐ下側穴を有したものであり、浴室空間から来る各アクチュエータリード線の挿入口より浴室空間の湿気が電装箱空間内に入り結露水が溜まったとしても、メイン基板および中継基板に結露水が付着する前に天井裏に逃がすことができる。
【００３５】
また、請求項９記載の浴室暖房乾燥機は、浴室暖房乾燥機本体の天面側に電装箱の箱の中と天井裏空間とをつなぐ上側穴を有したものであり、浴室空間から湿気が電装箱空間内に入ったとしても、電装箱の中と天井裏空間とをつなぐ穴から湿度は抜けていく。
【００３６】
また、請求項１０記載の浴室暖房乾燥機は、電装箱が電装箱上と電装箱下とを凹部と凸部により嵌合して構成されているものであり、電装は箱この中に湿気が入りにくくなる。
【００３７】
以下、本発明の実施の形態について、図１〜図８を参照しながら説明する。
【００３８】
（実施の形態１）
図１〜図５に示すように、浴室Ｂ内の空気を循環させる循環送風手段１と前記循環させる空気を温める加熱手段２とを備えた浴室暖房乾燥機本体３において、浴室天井面４に対して後記の各アクチュエータを駆動制御するメイン基板５を垂直に配置し、配置されたメイン基板５の一端部側に浴室天井面４と平行に中継基板６を配置し、メイン基板５の中継基板６側の一端部側と中継基板６に浴室暖房乾燥機３の熱動弁７、電磁弁８、流量制御弁９、循環モーター１０、ステッピングモーター（図示せず）などのアクチュエータすべてのコネクタ１１を配置し、メイン基板５と中継基板６が浴室暖房乾燥機本体３から着脱自在に設けられた電装箱１３に収められ、電装箱１３には各アクチュエータから出ているメイン基板５及び中継基板６のコネクタ１１に接続するためのリード線のガイド壁１４、リード線の固定部材１５としてのクリップなどがあり、浴室Ｂと電装箱１３空間をシール材１６と浴室暖房乾燥機本体３によって切り分ける蓋１７があり、蓋１７には電装箱壁面１８と重ね合わせる壁１９をもつ蓋１７がある構成とする。
【００３９】
上記構成により、作業者が、浴室暖房乾燥機本体３内の熱動弁７、電磁弁８、流量制御弁９、循環モーター１０、ステッピングモーターなどのアクチュエータを浴室で浴室と電装箱１３空間を切り分けている蓋１７を外すことによって、電装箱１３のスペースを最大限に利用しながら、浴室暖房乾燥機本体３内の熱動弁７、電磁弁８、流量制御弁９、循環モーター１０、ステッピングモーターなどのアクチュエータの検査及び、交換することができ、また、電装箱１３のスペースを最大限に使用することができ、また作業者が、蓋１７をするときにリード線のガイド壁１４とリード線の固定部材１５により、リード線のかみ込みを気にしないで簡単に作業ができる。また、蓋１７に電装箱１３と接する壁１９があることにより、例えシール材１６が使えなくなったとしても、電装箱１３の中の気密性は保たれる。
【００４０】
このように本発明の実施の形態１の浴室暖房乾燥機によれば、作業者が、浴室Ｂと天井裏Ａを点検口２０を通して行き来しないで、浴室Ｂで浴室暖房乾燥機本体３内の各アクチュエータの検査、及び交換を簡単にできることとなる。
【００４１】
なお、実施の形態１では、中継基板６を用いたが、中継コネクタを用いてもよく、また、中継基板６と中継コネクタの両方を用いても効果に差異はない。
【００４２】
（実施の形態２）
図６および図７に示すように、浴室Ｂ内の空気を循環させる循環送風手段１（図示せず）と前記循環させる空気を温める加熱手段２（図示せず）を備えた浴室暖房乾燥機本体３において、電装箱１３の各アクチュエータからでているメイン基板５および中継基板６のコネクタ１１（図示せず）に接続するためのリード線の挿入口２２として、電装箱の挿入口２１よりも上側に浴室空間からくる各アクチュエータのリード線の挿入口２２を有し、またメイン基板５および中継基板６より下側に電装箱の箱の中と天井裏空間とをつなぐ下側穴２３を有し、また、浴室暖房乾燥機本体３の天面側に電装箱の箱の中と天井裏空間とをつなぐ上側穴２４を有している。
【００４３】
上記構成により、リード線の挿入口２２より浴室Ｂ空間の湿気が電装箱１３空間内に入ったとしても、メイン基板５のコネクタ１１部、及び中継基板６より上に湿気が溜まり、かつ、浴室Ｂ空間の湿気が電装箱１３空間内に入り結露水が溜まったとしても、メイン基板５および中継基板６に結露水が付着する前に天井裏Ａに逃がすことができ、かつ、浴室Ｂ空間から湿気が電装箱１３空間内に入ったとしても、電装箱１３の中と天井裏空間Ａとをつなぐ上側穴２４から湿度は抜けていく。
【００４４】
このように本発明の実施の形態２の浴室暖房乾燥機によれば、各アクチュエータのコネクタ１１が、浴室Ｂ空間からの湿気によってトラッキングおよび錆を起こす恐れがなくなり、メイン基板５および中継基板６が結露水によりショートする恐れがなくなり、メイン基板５および中継基板６に浴室Ｂ空間からの湿気が溜まる恐れがなくなることとなる。
【００４５】
（実施の形態３）
実施に形態３は、図８に示すように、電装箱１３Ａは電装箱上２５と電装箱下２６とで構成され、電装箱上の凹部２７と電装箱下の凸部２８によって嵌合していることを特徴とする。
【００４６】
上記構成により、電装箱上２５と電装箱下２６は凹部２７と凸部２８を嵌合しているので、電装箱１３Ａの中に湿気が入りにくくなる。
【００４７】
このように本発明の実施の形態３の浴室暖房乾燥機によれば、電装箱１３Ａの中にあるメイン基板５に浴室Ｂ空間からの湿気が触れるのを防止できる。
【産業上の利用可能性】
【００４８】
本発明にかかわる浴室暖房乾燥機は、浴室に取り付ける換気扇にも適用することができる。
【図面の簡単な説明】
【００４９】
【図１】本発明の実施の形態１の天井設置時の浴室暖房乾燥機を示す断面図
【図２】同浴室暖房乾燥機の下面図
【図３】同浴室暖房乾燥機の電装箱部を示す断面図
【図４】同電装箱部を示す下面図
【図５】同電装箱と蓋を示す斜視図
【図６】本発明の実施の形態２の浴室暖房乾燥機の電装箱部を示す断面図
【図７】同電装箱の上側穴と下側穴の位置関係を示す構成図
【図８】本発明の実施の形態３の浴室暖房乾燥機の電装箱を示す斜視図
【図９】従来の浴室暖房乾燥機の断面図
【符号の説明】
【００５０】
１      循環送風手段
２      加熱手段
３      浴室暖房乾燥機本体
４      浴室天井面
５      メイン基板
６      中継基板
１１    コネクタ
１３    電装箱
１３Ａ  電装箱
１４    ガイド壁
１５    リード線の固定部材
１７    蓋
１８    電装箱壁面
１９    壁
２１    電装箱の挿入口
２２    リード線の挿入口
２３    下側穴
２４    上側穴
２５    電装箱上
２６    電装箱下
２７    凹部
２８    凸部
【図１】
0004798109.tif 000002
【図２】
0004798109.tif 000003
【図３】
0004798109.tif 000004
【図４】
0004798109.tif 000005
【図５】
0004798109.tif 000006
【図６】
0004798109.tif 000007
【図７】
0004798109.tif 000008
【図８】
0004798109.tif 000009
【図９】
0004798109.tif 000010